(57)【要約】      （修正有）【課題】参加者の点呼を簡易かつ短時間で実行できるようにするガイディングシステムを提供する。【解決手段】親機２から複数の子機３Ａ、３Ｂ、３Ｃに音声を伝送するガイディングシステム１において、ガイディングシステムコードを設定して親機２のデータ通信部７から子機３Ａ、３Ｂ、３Ｃに応答を呼びかけ、子機のデータ通信部１５で受信されるガイディングシステムコードが設定された親機２からの呼びかけにより、対応する子機コードを設定して子機のデータ通信部１５から親機２に応答を返し、親機２のデータ通信部１５で受信される子機３Ａ、３Ｂ、３Ｃからの応答による子機コードを記録と照合して通信可能範囲に存在するか否か判定することにより、登録部９に記録した子機データに係る子機３Ａ、３Ｂ、３Ｃを保持したユーザの点呼結果を検出して通知する。【選択図】図１
0003190098.tif 000002
【実用新案登録請求の範囲】
【請求項１】
親機から複数の子機に音声を伝送するガイディングシステムにおいて、
前記ガイディングシステムは、固有の識別コードであるガイディングシステムコードが設定され、
前記親機は、
前記子機との間でデータを送受する親機のデータ通信部と、
前記親機のデータ通信部を制御する親機のコントローラと、
前記子機に固有の識別コードである子機コードを少なくとも記録した登録部とを備え、
前記子機は、
前記親機のデータ通信部に対応する子機のデータ通信部と、
前記子機のデータ通信部を制御する子機のコントローラとを備え、
前記親機のコントローラは、
前記ガイディングシステムコードを設定して前記親機のデータ通信部から前記子機に応答を呼びかけ、
前記子機のコントローラは、
前記子機のデータ通信部で受信されるガイディングシステムコードが設定された前記親機からの呼びかけにより、対応する子機コードを設定して前記子機のデータ通信部から前記親機に応答を返し、
前記親機のコントローラは、
前記親機のデータ通信部で受信される前記子機からの応答による子機コードを前記登録部の記録と照合することにより、前記登録部に記録した子機が、前記親機のデータ通信部による通信可能範囲に存在するか否か判定し、判定結果に基づいて前記登録部に記録した子機データに係る子機を保持したユーザの点呼結果を検出して通知する
ガイディングシステム。
【請求項２】
親機から複数の子機に音声を伝送するガイディングシステムにおいて、
前記ガイディングシステムは、固有の識別コードであるガイディングシステムコードが設定され、
前記親機は、
前記子機との間でデータを送受する親機のデータ通信部と、
前記親機のデータ通信部を制御する親機のコントローラと、
前記子機に固有の識別コードである子機コードを少なくとも記録した登録部とを備え、
前記子機は、
前記親機のデータ通信部に対応する子機のデータ通信部と、
前記子機のデータ通信部を制御する子機のコントローラとを備え、
前記親機のコントローラは、
前記登録部の記録に基づいて前記ガイディングシステムコード及び子機コードを設定して前記親機のデータ通信部から前記子機に順次応答を呼びかけ、
前記子機のコントローラは、
前記子機のデータ通信部で受信されるガイディングシステムコード及び対応する子機コードが設定された前記親機からの呼びかけにより、前記子機のデータ通信部から前記親機に応答を返し、
前記親機のコントローラは、
前記親機のデータ通信部で受信される前記子機からの応答の有無により、前記登録部に記録した子機が、前記親機のデータ通信部による通信可能範囲に存在するか否か判定し、判定結果に基づいて前記登録部に記録した子機データに係る子機を保持したユーザの点呼結果を検出して通知する
ガイディングシステム。
【請求項３】
前記登録部には、前記子機コードと共に対応する前記ユーザの情報が記録されており、
前記親機のコントローラは、
前記登録部に記録された前記ユーザの情報であって、かつ応答が得られなかった子機に係る前記ユーザの情報を表示して、前記点呼結果を通知する
請求項１又は請求項２に記載のガイディングシステム。
【請求項４】
前記親機のコントローラは、
前記親機のデータ通信部からの前記子機への応答を呼びかけに対して応答の得られない子機が検出された場合、前記親機のデータ通信部からの呼びかけに応答を返した前記子機に対して、前記応答の得られない子機への応答の呼びかけを指示し、当該指示に係る呼びかけに対する前記応答の得られない子機からの応答の有無の通知を受け付け、
前記親機のデータ通信部による通信可能範囲外であって、かつ前記親機のデータ通信部からの呼びかけに応答を返した前記子機に係る子機のデータ通信部による通信可能範囲に存在する子機と、前記親機のデータ通信部による通信可能範囲外であって、かつ前記親機のデータ通信部からの呼びかけに応答を返した前記子機に係る子機のデータ通信部による通信可能範囲外に存在する子機と、前記親機のデータ通信部による通信可能範囲に存在する子機とを識別することにより、親機からの距離を判定して距離判定結果を得、
前記照合結果と共に当該距離判定結果を通知する
請求項１、請求項２、請求項３の何れかに記載のガイディングシステム。
【考案の詳細な説明】
【技術分野】
【０００１】
本考案は、親機より子機に音声を伝送し、この伝送した音声によるガイドを子機のユーザに提供するガイディングシステムに関する。
【背景技術】
【０００２】
従来、海外旅行ツアー等においては、ガイディングシステムを利用して有名観光地等を案内している。すなわちガイディングシステムは、ガイドが携帯する親機と、ツアー等の参加者が保持する子機とにより構成され、親機より、ガイドに係る音声信号を送信する。また子機は、この音声信号を受信し、この音声信号による音声を携帯する参加者に提供する。これによりガイディングシステムは、ガイドの発した音声、事前に記録した音声等をツアーの参加者に漏れなく提供できるように構成され、ツアーの参加者の利便を図り、さらにはガイドの利便を図ることができる。
【０００３】
このようなガイディングシステムに関して、特許文献１には、例えば博物館等で特定地域に限って音声ガイドを提供する構成において、使用地域範囲を限定し、確実に子機を回収する方法が提案されている。
【先行技術文献】
【特許文献】
【０００４】
【特許文献１】特開２００２−３２０２９５号公報
【考案の概要】
【考案が解決しようとする課題】
【０００５】
ところで海外旅行ツアー等においては、例えば交通機関に係る集合地等において、何度となく点呼して参加者を確認しており、この確認に手間と時間を要する問題がある。
【０００６】
このような参加者の確認を簡易かつ短時間で実行することができれば、便利であると考えられる。
【０００７】
本考案は、以上の点を考慮してなされたものであり、参加者の確認を簡易かつ短時間で実行できるようにすることを目的とする。
【課題を解決するための手段】
【０００８】
本考案者らは、ガイディングシステムに係る子機をツアー等の参加者がそれぞれ携帯することに着目し、ガイディングシステムに近距離の無線通信機能を追加して点呼に利用する、との着想により、本考案を完成するに至った。
【０００９】
（１）  親機から複数の子機に音声を伝送するガイディングシステムにおいて、
前記ガイディングシステムは、固有の識別コードであるガイディングシステムコードが設定され、
前記親機は、
前記子機との間でデータを送受する親機のデータ通信部と、
前記親機のデータ通信部を制御する親機のコントローラと、
前記子機に固有の識別コードである子機コードを少なくとも記録した登録部とを備え、
前記子機は、
前記親機のデータ通信部に対応する子機のデータ通信部と、
前記子機のデータ通信部を制御する子機のコントローラとを備え、
前記親機のコントローラは、
前記ガイディングシステムコードを設定して前記親機のデータ通信部から前記子機に応答を呼びかけ、
前記子機のコントローラは、
前記子機のデータ通信部で受信されるガイディングシステムコードが設定された前記親機からの呼びかけにより、対応する子機コードを設定して前記子機のデータ通信部から前記親機に応答を返し、
前記親機のコントローラは、
前記親機のデータ通信部で受信される前記子機からの応答による子機コードを前記登録部の記録と照合することにより、前記登録部に記録した子機が、前記親機のデータ通信部による通信可能範囲に存在するか否か判定し、判定結果に基づいて前記登録部に記録した子機データに係る子機を保持したユーザの点呼結果を検出して通知する。
【００１０】
（１）によれば、親機への応答の有無により、通信可能範囲に子機が存在するか否か判断することができる。ここでこの種の子機は、ツアー等の参加者が漏れなく携帯して使用するものであることにより、このように通信可能範囲に子機が存在しない場合、この子機に係るユーザは近辺に存在しないと判断することができる。これによりこのように子機からの応答を登録部の記録と照合することにより、ツアー参加者等の確認を簡易かつ短時間で実行することができる。
【００１１】
（２）  複数の子機に音声を伝送するガイディングシステムにおいて、
前記ガイディングシステムは、固有の識別コードであるガイディングシステムコードが設定され、
前記親機は、
前記子機との間でデータを送受する親機のデータ通信部と、
前記親機のデータ通信部を制御する親機のコントローラと、
前記子機に固有の識別コードである子機コードを少なくとも記録した登録部とを備え、
前記子機は、
前記親機のデータ通信部に対応する子機のデータ通信部と、
前記子機のデータ通信部を制御する子機のコントローラとを備え、
前記親機のコントローラは、
前記登録部の記録に基づいて前記ガイディングシステムコード及び子機コードを設定して前記親機のデータ通信部から前記子機に順次応答を呼びかけ、
前記子機のコントローラは、
前記子機のデータ通信部で受信されるガイディングシステムコード及び対応する子機コードが設定された前記親機からの呼びかけにより、前記子機のデータ通信部から前記親機に応答を返し、
前記親機のコントローラは、
前記親機のデータ通信部で受信される前記子機からの応答の有無により、前記登録部に記録した子機が、前記親機のデータ通信部による通信可能範囲に存在するか否か判定し、判定結果に基づいて前記登録部に記録した子機データに係る子機を保持したユーザの点呼結果を検出して通知する。
【００１２】
（２）によれば、それぞれ子機を特定して応答の有無を判定することにより、通信可能範囲に子機が存在するか否か判定することができる。ここでこの種の子機は、ツアー等の参加者が漏れなく携帯して使用するものであることにより、このように通信可能範囲に子機が存在しない場合、この子機に係るユーザは近辺に存在しないと判断することができる。これによりこのように順次子機を特定して応答の有無を判定することにより、ツアー参加者等の確認を簡易かつ短時間で実行することができる。
【００１３】
（３）  （１）又は（２）において、
前記登録部には、前記子機コードと共に対応する前記ユーザの情報が記録されており、
前記親機のコントローラは、
前記登録部に記録された前記ユーザの情報であって、かつ応答が得られなかった子機に係る前記ユーザの情報を表示して、前記点呼結果を通知する。
【００１４】
（３）によれば、ユーザ名等により未だ集合していない子機に係るユーザを特定することができることにより、一段と使い勝手を向上することができる。
【００１５】
（４）  （１）、（２）、（３）の何れかにおいて、
前記親機のデータ通信部からの前記子機への応答を呼びかけに対して応答の得られない子機が検出された場合、前記親機のデータ通信部からの呼びかけに応答を返した前記子機に対して、前記応答の得られない子機への応答の呼びかけを指示し、当該指示に係る呼びかけに対する前記応答の得られない子機からの応答の有無の通知を受け付け、
前記親機のデータ通信部による通信可能範囲外であって、かつ前記親機のデータ通信部からの呼びかけに応答を返した前記子機に係る子機のデータ通信部による通信可能範囲に存在する子機と、前記親機のデータ通信部による通信可能範囲外であって、かつ前記親機のデータ通信部からの呼びかけに応答を返した前記子機に係る子機のデータ通信部による通信可能範囲外に存在する子機と、前記親機のデータ通信部による通信可能範囲に存在する子機とを識別することにより、親機からの距離を判定して距離判定結果を得、
前記照合結果と共に当該距離判定結果を通知する。
【００１６】
（４）によれば、この種のデータ通信機能を有効に利用して、親機近傍に存在する場合、親機近傍では無いものの、比較的親機に近い場所に存在する場合、それより以遠に存在する場合とを識別して、子機の存在位置を判断することができ、点呼により存在が確認できなかったユーザへの対応等について、より適切な対応を図ることができ、一段と使い勝手を向上する。
【考案の効果】
【００１７】
本考案によれば、ガイディングシステムを有効に利用して参加者の点呼を簡易かつ短時間で実行することができる。
【図面の簡単な説明】
【００１８】
【図１】本考案の第１実施形態に係るガイディングシステムを示す図である。
【図２】図１のガイディングシステムにおける登録処理を示すフローチャートである。
【図３】図１のガイディングシステムにおける点呼処理を示すフローチャートである。
【図４】考案の第２実施形態に係るガイディングシステムにおける点呼処理を示すフローチャートである。
【図５】考案の第３実施形態に係るガイディングシステムにおける点呼処理を示すフローチャートである。
【考案を実施するための形態】
【００１９】
以下、本考案の実施形態について図面を参照しながら詳述する。
【００２０】
図１は、本考案の実施形態に係るガイディングシステムを示す図である。このガイディングシステム１は、１台の親機２と、複数の子機３Ａ、３Ｂ、３Ｃ、…とにより構成される。ガイディングシステム１は、例えばツアーのガイドが親機２を携帯すると共に、子機３Ａ、３Ｂ、３Ｃ、…をそれぞれ当該ツアーの参加者が携帯して使用される。親機２は、ガイドに供する音声を無線により送信し、子機３Ａ、３Ｂ、３Ｃ、…は、この親機より送信された音声をそれぞれ受信し、携帯するツアーの参加者に受信した音声を提供する。これによりこのガイディングシステム１は、例えばツアーの参加者に音声によるガイドを提供して、ガイド及び参加者の利便を図ることができる。
【００２１】
このため親機２は、ガイドの音声を取得するマイク４を備え、またガイドに供する音声を記録した記録再生部を備える。親機２は、近距離の無線送信手段である音声送信部５、この音声送信部５に係るアンテナ６を介して、マイク４で取得したガイドの音声、又は記録再生部で再生した音声を無線により送信する。
【００２２】
子機３Ａ、３Ｂ、３Ｃ、…は、識別コードが異なる点を除いて同一に構成されることにより、以下においては、子機３Ａについて構成を説明し、重複した説明は省略する。子機３Ａは、この親機２によるガイド用音声の送信に対応して、アンテナ１２、音声受信部１３を備え、親機２より送信された音声を受信してイヤホン１４より出力する。
【００２３】
ここでこのガイディングシステム１に係る親機２及び子機３Ａ、３Ｂ、３Ｃ、…には、当該ガイディングシステム１に固有の識別コードであるガイディングシステムコードが設定されており、これにより親機２及び子機３Ａ、３Ｂ、３Ｃ、…においては、他のガイディングシステムに係る機器と識別できるように構成される。また子機３Ａ、３Ｂ、３Ｃ、…には、それぞれ固有の識別コードである子機コードが割り当てられており、この子機コードによりこのガイディングシステム１の子機３Ａ、３Ｂ、３Ｃ、…を個別に識別できるように構成される。
【００２４】
このガイディングシステム１において、親機２及び子機３Ａ、３Ｂ、３Ｃ、…は、Ｂｌｕｅｔｏｏｔｈ（登録商標）、Ｗｉ‐Ｆｉ（登録商標）等の近距離のデータ通信手段によるデータ通信部７、１５を備え、コントローラ８、１６の制御によりこのデータ通信部７、１５でガイディングシステムコード、子機コードを送受して点呼の処理を実行する。これによりこのガイディングシステム１では、このガイディングシステムの構成を有効に利用して参加者の点呼を簡易かつ短時間で実行できるようにする。
【００２５】
すなわちこの種のツアーにおいて、点呼に供する参加者は、それぞれ子機を携帯している。これによりガイディングシステムコードにより他のガイディングシステムに係る子機と識別するようにして、無線通信により子機からの応答の有無を判定することにより、通信可能範囲にこのガイディングシステム１に係る参加者が存在するか否か判断することができる。また各子機を子機コードにより識別して子機からの応答の有無を判定することにより、通信可能範囲に存在する参加者、通信可能範囲に存在しない参加者を識別することができる。これによりこのガイディングシステム１では、ガイディングシステムコードを設定して親機２から子機３Ａ、３Ｂ、３Ｃ、…に応答を呼びかけ、子機コードにより識別して子機３Ａ、３Ｂ、３Ｃ、…からの応答を受信することにより点呼の処理を実行し、これにより参加者の点呼を簡易かつ短時間で実行できることができる。
【００２６】
親機２において、登録部９は、子機３Ａ、３Ｂ、３Ｃ、…の子機コードをそれぞれ子機３Ａ、３Ｂ、３Ｃ、…を携帯する参加者を特定する情報（参加者名等のユーザの情報であり、以下、ユーザ情報と呼ぶ）と共に記録するメモリ等による記録手段である。コントローラ８は、事前の処理により、これらの情報を登録部９に登録する。表示部１０は、点呼結果を表示する液晶表示装置等による表示手段である。
【００２７】
図２は、この登録部９の登録処理に係る処理手順を示すフローチャートである。ここでこのガイディングシステム１においては、電源を投入した状態でそれぞれ子機３Ａ、３Ｂ、３Ｃ、…をツアーの参加者に手渡した後、この登録処理を実行する。親機２において、コントローラ８は、操作子Ｓの長押しによる押圧操作によりこの処理手順を開始し、ガイディングシステムコードを設定して子機３Ａ、３Ｂ、３Ｃ、…に応答を呼びかけ（ステップＳＰ２）、子機３Ａ、３Ｂ、３Ｃ、…から応答が得られると、この応答に設定された子機コードを登録部９に登録し（ＳＰ３）、また当該子機コードにより各子機３Ａ、３Ｂ、３Ｃ、…にそれぞれ処理の完了を通知する。
【００２８】
この親機２の処理に対応して、子機３Ａ、３Ｂ、３Ｃ、…は、ガイディングシステムコードにより識別してこのガイディングシステム１に係る親機２からの呼びかけをデータ通信部１５で検出してコントローラ１６に通知し、コントローラ１６は、この通知により子機コードを設定してこの呼びかけに対する応答を、親機２から処理の完了が通知されるまでの間、一定の時間間隔で繰り返す。
【００２９】
これによりガイディングシステム１では、参加者に手渡した子機３Ａ、３Ｂ、３Ｃ、…の子機コードを登録部９に登録する。このように子機コードを登録して親機２では、各子機３Ａ、３Ｂ、３Ｃ、…に係るユーザ情報を、登録した子機コードに対応つけて、手入力等により入力されるユーザ情報を登録し、これにより登録部９に係る事前の登録を完了する。なおこの登録部９の登録にあっては、ツアーの管理に係るコンピュータ等よりユーザ情報を取得して記録するようにして、子機３Ａ、３Ｂ、３Ｃ、…を参加者に手渡す毎に、この手渡した子機３Ａ、３Ｂ、３Ｃ、…からの応答により子機コードを取得し、記録されたユーザ情報と関連付けてこの取得した子機コードを記録するようにしてもよい。また事前に、子機コードとユーザ情報とを登録部９に記録しておくようして、この登録部９に記録した子機コードに係る子機３Ａ、３Ｂ、３Ｃ、…を対応する参加者に手渡すようにしても良く、登録部９の記録方法にあっては、種々の手法を適用することができる。
【００３０】
図３は、点呼処理を示すフローチャートである。親機２のコントローラ８は、点呼に係る操作子Ｓが押圧操作されると、この処理手順を開始し、ガイディングシステムコードを設定して子機３Ａ、３Ｂ、３Ｃ、…に応答を呼びかけ（ステップＳＰ１１）、この呼びかけに対して子機３Ａ、３Ｂ、３Ｃ、…から応答が得られると、この応答に設定された子機コードを登録部９で照合し（ＳＰ１２）、当該子機コードにより対応する子機に処理の完了を通知する。
【００３１】
これに対応して子機３Ａ、３Ｂ、３Ｃ、…は、ガイディングシステムコードにより識別してこのガイディングシステム１に係る親機２からの呼びかけをデータ通信部１５で検出してコントローラ１６に通知し、コントローラ１６は、この通知により子機コードを設定してこの呼びかけに対する応答を、親機２から処理の完了が通知されるまでの間、一定の時間間隔で繰り返す。
【００３２】
これによりこのガイディングシステム１では、データ通信部７による通信可能範囲に存在する全ての子機３Ａ、３Ｂ、３Ｃ、…からの応答を取得して登録部９で照合する。ここでツアーの参加者がこの親機２に係る集合地点に存在しない場合、この参加者に係る子機からは応答が得られないことになる。そこでコントローラ８は、このようにして子機３Ａ、３Ｂ、３Ｃ、…からの応答を取得して処理の完了を通知するようにして、子機３Ａ、３Ｂ、３Ｃ、…からの応答が得られなくなると、又は登録部９の記録との照合により登録部９に登録された全ての子機３Ａ、３Ｂ、３Ｃ、…から応答が得られたと判断される場合、登録部９の照合結果を点呼結果として表示部１０で表示する（ステップＳＰ１３）。
【００３３】
ここで登録部９に登録された全ての子機３Ａ、３Ｂ、３Ｃ、…から応答が得られた場合、参加者が全員揃っているとの点呼結果を、メッセージにより、及び又は緑色の表示により表示部１０で表示する。これに対して登録部９に登録された全ての子機３Ａ、３Ｂ、３Ｃ、…から応答が得られない場合、この応答が得られなかった子機に係るユーザ情報を表示部１０で表示する。なおこの場合、登録したユーザ情報をリストにより表示し、ユーザ毎に、ＯＫ、ＮＧの表示、緑色、赤色の表示等を設定することにより、点呼結果を表示するようにしても良く、点呼結果の表示方法にあっては、種々の手法を広く適用することができる。またこのような表示部による点呼結果の表示に代えて、音声合成による音声により点呼結果を通知するようにしてもよい。
【００３４】
この実施形態によれば、親機からの呼びかけに応答を返した子機を、登録部の記録と照合して判定することにより、参加者の確認を簡易かつ短時間で実行することができる。
【００３５】
〔第２実施形態〕
図４は、本考案の第２実施形態に係る点呼処理の処理手順を示すフローチャートである。この実施形態では、図３について上述した点呼処理に代えて、この図４に示す点呼処理が実行される点を除いて、第１実施形態と同一に構成される。
【００３６】
この実施形態において、親機２のコントローラ８は、点呼の操作子Ｓが操作されると、この処理手順を開始し、登録部に記録された子機を順次選択して対応する子機コード、このガイディングシステム１に係るガイディングシステムコードを設定して応答を呼びかける（ステップＳＰ２２）。これにより子機毎に、順次応答を呼びかけ、応答の得られない子機を検出する。これに対応して子機３Ａ、３Ｂ、３Ｃ、…は、対応するガイディングシステムコード、子機コードが設定された呼びかけに対して応答を返す。
【００３７】
親機においては、このようにして登録部９に記録された全ての子機について、応答の有無を検出し、応答の無かった子機に係る情報を点呼結果として表示する（ステップＳＰ２３）。
【００３８】
この実施形態によれば、順次子機を特定して応答の有無を検出するようにしても、第１実施形態と同様の効果を得ることができる。
【００３９】
〔第３実施形態〕
図５は、考案の第３実施形態に係るガイディングシステムにおける点呼処理を示すフローチャートである。この実施形態では、図３又は図４について上述した点呼処理に代えて、この図５に示す点呼処理が実行される点を除いて、第１又は第２実施形態と同一に構成される。
【００４０】
この実施形態において、親機２のコントローラ８は、点呼の操作子Ｓが操作されると、この処理手順を開始し、第１実施形態について上述した点呼処理により、又は第２実施形態について上述した点呼処理により、親機２からの呼びかけに対する子機の応答を検出する（ステップＳＰ３２）。
【００４１】
ここでこのように親機２からの呼びかけに対して、登録部９に記録された全ての子機より応答が得られた場合、親機２のコントローラ８は、点呼結果を表示して処理を終了する（ステップＳＰ３５−ＳＰ３３−ＳＰ３４）。
【００４２】
これに対して親機２からの呼びかけに対して応答を返さない子機が検出された場合、親機２のコントローラ８は、親機２からの呼びかけに対して応答を返した子機に対して、親機２からの呼びかけに応答を返さない子機への応答の呼びかけを指示し、当該子機からの応答の有無の通知を受け付ける（ステップＳＰ３６）。
【００４３】
すなわち親機２の通信可能範囲外であっても、この親機２の通信可能範囲内に存在する子機との間で通信可能な場合もある。このような子機にあっては、親機２の通信可能範囲より遠ざかった位置に存在するものの、親機と子機とのネットワークによる通信可能範囲内には存在することになる。これによりこのような子機を介した呼び換えに対して応答が得られる場合には、親機２の近傍では無いものの、比較的親機２に近い場所に存在すると判断することができる。またこのようにして応答が得られない場合いは、より遠くに存在する場合であると判断することができる。
【００４４】
これによりこの実施形態では、子機との距離を大まかに検出できるように構成され、この検出結果により種々の利便を図ることができる。すなわちこのように親機２の近傍では無いものの、比較的親機２に近い場所に存在する場合には、今少し待つことにより集合するとも考えられ、対応することができる。またより遠くに存在すると判断される場合には、例えば放送による呼び出す等の何らかの手立てを講じる必要があると判断することができる。これにより一段と使い勝手を向上することができる。
【００４５】
〔他の実施形態〕
以上、本考案の実施に好適な具体的な構成を詳述したが、本考案は、本考案の趣旨を逸脱しない範囲で、上述の実施形態の構成を種々に変更し、さらには従来構成と組み合わせることができる。
【００４６】
すなわち上述の実施形態では、音声の伝送系とは別に、別途データ通信部を設ける場合について述べたが、本考案はこれに限らず、データ通信部により音声を伝送するようにしてもよい。
【００４７】
また上述の第３実施形態では、親機からの直接に呼びかけによる応答の有無と、子機を介した呼び換えに対する応答の有無により、子機までの距離を判定する場合について述べたが、本考案はこれに限らず、例えば音声の伝送に係る電界強度の通知を受け付けることにより、又はデータ通信に係る電界強度の検出等により、距離を判定するようにしてもよい。
【符号の説明】
【００４８】
１  ガイディングシステム
２  親機
３Ａ、３Ｂ、３Ｃ  子機
４  マイク
５  音声送信部
６、１２  アンテナ
７、１５  データ通信部
８、１６  コントローラ
９  登録部
１０  表示部
Ｓ  操作子
【図１】
0003190098.tif 000003
【図２】
0003190098.tif 000004
【図３】
0003190098.tif 000005
【図４】
0003190098.tif 000006
【図５】
0003190098.tif 000007